(57)【要約】【課題】冷却塔ピット内の水を抜くことなく、運転しながら、いつでも清掃が可能になり、電源無しで清掃を行うことが可能である冷却塔ピットからのスラッジ排出方法及び装置を提供する。【解決手段】サイフォン管１０により冷却塔ピット１ｄ内の冷却水を排出することによって冷却塔ピット底部に沈積したスラッジを系外に排出するスラッジ排出方法であって、サイフォン管１０の一端を冷却塔ピット１ｄ内に浸漬させて冷却水を吸引し、サイフォン管１０から流出する冷却水を固液分離器２０に流入させて固液分離する冷却塔ピットからのスラッジ排出方法。【選択図】図１
2018167202.tif 000002
【特許請求の範囲】
【請求項１】
サイフォン管により冷却塔ピット内の冷却水を排出することによって冷却塔ピット底部に沈積したスラッジを系外に排出するスラッジ排出方法であって、サイフォン管の一端を冷却塔ピット内に浸漬させて冷却水を吸引し、サイフォン管から流出する冷却水を固液分離器に流入させて固液分離することを特徴とする冷却塔ピットからのスラッジ排出方法。
【請求項２】
請求項１において、固液分離器は、容器を備えており、該容器内は仕切り板によって複数の固液分離室に区画され、冷却水が固液分離容器内の第１固液分離室に導入された後、仕切り板をオーバーフローして隣接する固液分離室に移動していくとともに、冷却水中のスラッジが各固液分離室内で沈降して固液分離され、最終固液分離室から処理水が固液分離器外に排出されることを特徴とする冷却塔ピットからのスラッジ排出方法。
【請求項３】
請求項２において、固液分離器内が２〜４の固液分離室に仕切られていることを特徴とする冷却塔ピットからのスラッジ排出方法。
【請求項４】
請求項１〜３のいずれか１項において、仕切り板の少なくとも１つが孔を有していることを特徴とする冷却塔ピットからのスラッジ排出方法。
【請求項５】
請求項１〜４のいずれか１項において、サイフォン管に冷却水の流通を遮るためのバルブが設けられていることを特徴とする冷却塔ピットからのスラッジ排出方法。
【請求項６】
一端が冷却塔ピット内に差し込まれるサイフォン管と、該サイフォン管の他端から流出する冷却水を受け入れる固液分離器とを有する冷却塔ピットからのスラッジ排出装置。
【請求項７】
請求項６において、前記固液分離器は、容器と、該容器内に複数の固液分離室を区画形成するように立設された仕切り板とを備え、前記サイフォン管からの水が第１固液分離室に導入され、仕切り板をオーバーフローして隣接する固液分離室に流入し、最終固液分離室から処理水が流出するように仕切り板の高さが設定されていることを特徴とする冷却塔ピットからのスラッジ排出装置。
【発明の詳細な説明】
【技術分野】
【０００１】
本発明は、冷却塔ピットからスラッジを排出するための方法及び装置に関する。
【背景技術】
【０００２】
従来、連続運転中の冷却水系で冷却塔ピット（水槽）内に堆積したスラッジ類の排出を行うには、運転を停止し、水系の水を抜いて清掃を行う必要があった。そのため、事業所等が休みになる年末休みやお盆休み等の休暇時期にのみ清掃が実施されていた。
【０００３】
特許文献１には、冷却塔ピット内に堆積したスラッジ類を取り除く方法として、ポンプを使って冷却塔ピット内の冷却水を濾過装置（サイドフィルタ）に送水し、濾過処理された処理水を再度、冷却塔ピットに戻す処理方法が記載されている。
【先行技術文献】
【特許文献】
【０００４】
【特許文献１】特開２００４−１８８２７０号公報
【発明の概要】
【発明が解決しようとする課題】
【０００５】
特許文献１の方法では、装置が高価となる上、ポンプを使用するため電源工事が必要である。本発明は、冷却塔ピット内の水を抜くことなく、運転しながら、いつでも清掃が可能になり、電源無しで清掃を行うことが可能である冷却塔ピットからのスラッジ排出方法及び装置を提供することを目的とする。
【課題を解決するための手段】
【０００６】
本発明の冷却塔ピットからのスラッジ排出方法は、サイフォン管により冷却塔ピット内の冷却水を排出することによって冷却塔ピット底部に沈積したスラッジを系外に排出するスラッジ排出方法であって、サイフォン管の一端を冷却塔ピット内に浸漬させて冷却水を吸引し、サイフォン管から流出する冷却水を固液分離器に流入させて固液分離することを特徴とするものである。
【０００７】
本発明の冷却塔ピットからのスラッジ排出装置は、一端が冷却塔ピット内に差し込まれるサイフォン管と、該サイフォン管の他端から流出する冷却水を受け入れる固液分離器とを有するものである。
【０００８】
本発明の一態様では、固液分離器は、容器を備えており、該容器内は仕切り板によって複数の固液分離室に区画され、冷却水が固液分離容器内の第１固液分離室に導入された後、仕切り板をオーバーフローして隣接する固液分離室に移動していくとともに、冷却水中のスラッジが各固液分離室内で沈降して固液分離され、最終固液分離室から処理水が固液分離器外に排出される。
【０００９】
本発明の一態様では、仕切り板によって固液分離器内が２〜４の固液分離室に仕切られている。本発明の一態様では、仕切り板の少なくとも１つが孔を有している。
【００１０】
本発明の一態様では、サイフォン管に冷却水の流通を遮るためのバルブが設けられている。
【発明の効果】
【００１１】
本発明の冷却塔ピットからのスラッジ排出方法及び装置によると、冷却塔ピット内の水を抜くことなく運転しながら、いつでも清掃を行うことが可能になる。また、サイフォン方式を採用するため、電源無しで清掃が可能である。さらに、装置の構成が簡易であり、低コストであると共に、持ち運びも容易である。
【００１２】
本発明では、冷却塔ピット内の冷却水を、固液分離器に通すので、スラッジの回収作業が簡単である。
【図面の簡単な説明】
【００１３】
【図１】実施の形態に係る冷却塔ピットからのスラッジ排出方法及び装置によって清掃されている循環冷却水系の模式図である。
【図２】固液分離器の別例を示す斜視図である。
【発明を実施するための形態】
【００１４】
以下、図面を参照して実施の形態について説明する。図１は、本発明の一実施形態を示す模式図である。
【００１５】
冷却塔１において、散水管１ａから散水された冷却水は、充填材層１ｂを流下する間にルーバ１ｃから導入される空気と接触して冷却され、冷却塔ピット（下部水槽）１ｄに冷却水として貯留される。蒸気を含む空気はファン１ｅにより大気中に排気される。
【００１６】
冷却塔ピット１ｄ内の冷却水は、ポンプＰにより抜き出され、冷却水供給用配管２より熱交換器３に送給される。熱交換器３で熱交換して加熱された水は、戻り配管４より冷却塔１の散水管１ａに戻され、冷却され、循環使用される。冷却塔１には、この冷却水系への補給水の導入配管５が設けられており、ボールタップ（図示略）によって冷却塔ピット１ｄ内の水位が定位となるように給水が行われる。冷却塔ピット１ｄにはブロー配管（図示略）が設けられている。
【００１７】
この実施の形態では、冷却塔ピット１ｄ内に堆積したスラッジを排出するための排出装置が設けられている。この排出装置は、サイフォン管１０と、該サイフォン管１０から流出水が導入される固液分離器２０とを有する。サイフォン管１０に開閉バルブが設けられてもよい。また、冷却塔ピット１ｄ内の水を吸引してサイフォンを起動させることができる手動ポンプをサイフォン管１０に設けてもよい。
【００１８】
この排出装置によると、冷却塔ピット内の水を抜くことなく運転しながら、いつでも清掃を行うことができる。また、サイフォン方式であるため、電源無しで清掃が可能である。さらに、装置の構成が簡易であり、低コストであると共に、持ち運びも容易である。
【００１９】
サイフォン管１０としては、サイフォンを形成できるものであれば何でも良いが、冷却塔ピット１ｄ内のあらゆる箇所に移動させることが容易であることから、ホース状のものが好適に使用される。
【００２０】
冷却塔ピット１ｄから冷却水を排出するために、ホース状のサイフォン管１０の一端を直接にピット内に浸漬させてもよいが、ホースが柔軟すぎて冷却塔ピットの排出位置が定まらない場合は、ホースの先端に塩ビ製などの硬質管よりなる直管を繋ぐなどして取扱いを容易にするのが望ましい。
【００２１】
サイフォン管１０の他端から冷却水を固液分離器２０に流入させるように構成するには、固液分離器２０内にサイフォン管１０の他端を差し込むだけでもよいが、固液分離器２０にサイフォン管１０の端を固定しておくのが、固液分離器２０からサイフォン管１０が外れることがなく、望ましい。
【００２２】
この実施の形態では、固液分離器２０は、容器２１と、該容器２１内に立設された１又は複数枚（この実施の形態では３枚）の仕切り板２２、２３、２４とを有し、該仕切り板２２〜２４によって、固液分離室３１〜３４が区画形成されている。仕切り板２２、２３、２４は順次に高さが低くなっている。サイフォン管１０からの冷却水は、固液分離室３１に入って固液分離され、次に仕切り板２２をオーバーフローして第２固液分離室３２に入って固液分離され、さらに仕切り板２３をオーバーフローして第３固液分離室３３に入って固液分離され、さらに仕切り板２４をオーバーフローして第４固液分離室３４に入って固液分離され、清澄となった水が流出口３５から流出する。固液分離室３１〜３４では、重力沈降によってスラッジが固液分離される。
【００２３】
前述のように複数の仕切り板の高さを必ずしも異ならせる必要はないが、必要に応じて第１固液分離室３１から最終固液分離室３４まで水がスムーズに流れるように仕切り板２２〜２４の高さを調整するのが望ましい。仕切り板２２〜２４の上部を超えて冷却水が順次、次の固液分離室へ流れるようにすることによって、冷却水中に含まれるスラッジが各固液分離室３１〜３４内でそれぞれ沈降分離される。
【００２４】
各仕切り板２２〜２４に、水は通すがスラッジは通しにくい孔を設けてもよい。このように構成することにより、固液分離室から次の固液分離室へ水がよりスムーズに流れるため、短時間で固液分離ができ、望ましい。この仕切り板の孔は徐々にスラッジによって目詰まりすることもあるが、その場合でも、仕切り板の上部を超えて水が順次、隣接する次の固液分離室へ流れるため、そのまま固液分離を継続することが可能である。仕切り板に設ける孔のサイズとしては、直径３〜１０ｍｍが好ましく、直径５〜８ｍｍがより好ましい。また、仕切り板の孔は、仕切り板の全面に設けてもよいが、仕切り板の下から１０〜１００％、より好ましくは３０〜８０％の位置に設けることにより、スラッジが各固液分離室内で十分に沈降するとともに、固液分離室から次の固液分離室へ水がよりスムーズに流れるため、望ましい。
【００２５】
仕切り板によって容器２１内に区画形成される固液分離室の数は、スラッジの沈降性と固液分離する冷却水量によって適切な数を選択すればよく、通常は２〜４から選択するのが好ましい。
【００２６】
この区画数の選択は、区画数が異なる固液分離器を予め用意しておき、冷却水を実際に通水してどの固液分離器を使用するか選択すれば良い。また固液分離器は同じものを共通して使用し、固液分離器内に設置する仕切り板を区画数２〜４に対応する種類だけ用意しておき、必要な区画数の仕切り板を固液分離器に差し込むことで、必要な数の固液分離室を有する固液分離器を構成するようにしても良い。固液分離器から仕切り板を外せるようにする方が固液分離後にスラッジの回収がしやすく、望ましい。
【００２７】
本発明においては、サイフォン管１０にバルブを設けることにより、冷却塔ピット１ｄからのスラッジ排出作業が容易に中断可能となる。なお、ホースを折り曲げて冷却水の流通を遮る方法では、ホースを折り曲げた状態に保つことが容易ではなく、十分に冷却水の流通が遮断されていなかった場合、ホース内の水が流れ出てしまい、サイフォンの原理が働かなくなってしまうため、作業を再開するためには、再度、ホース内に水を入れてサイフォンの状態を作る必要があった。バルブを設けておくと、確実に冷却水の流通を遮断できるため、このような不具合が生じない。
【００２８】
バルブは、サイフォン管１０のいずれの箇所に設置されてもよいが、通常はサイフォン管の一端を冷却塔ピット内に浸漬させて移動させながら清掃を行うため、冷却塔ピット内に近い部分に設置されるのが好ましい。なお、サイフォン管１０の固液分離器２０側の端が容器２１内の水に浸漬した状態にない場合は、固液分離器２０側のサイフォン管の端から空気が入り込むことによりサイフォン管内の水が抜けてしまう恐れがある。サイフォン管内の水が抜けるとサイフォンの状態が保てなくなるため、この場合は固液分離器側の管の端に近い箇所にバルブを設けるのが望ましい。
【００２９】
本発明では、固液分離器として、図２に示す構造の固液分離器４０を用いてもよい。この固液分離器４０は、容器４１が略正方形の枡形である。容器４１の平面図において、４枚の仕切り板４２，４３，４４，４５が容器４１の中心から容器４１の４個のコーナーに向って放射状に設けられている。仕切り板４２，４３，４４，４５は順次に高さが低くなっている。各仕切り板４２〜４５の間に固液分離室５１，５２，５３，５４が形成されている。
【００３０】
図１の場合と同様に、サイフォン管１０からの水は第１固液分離室５１に流入し、各仕切り板４３，４４，４５を順次にオーバーフローして各固液分離室５２，５３，５４に流れ、４番目の該固液分離室５４から流出口５５（又はオーバーフロー用切欠き部）を介して流出する。
【００３１】
上記説明は本発明の一例であり、本発明は上記以外の構成とされてもよい。例えば、容器４１は、枡形ではなく、円筒形であってもよい。
【符号の説明】
【００３２】
１  冷却塔
１ｄ  冷却塔ピット
１０  サイフォン容器
２０，４０  固液分離器
２１，４１  容器
２２〜２４，４２〜４５  仕切り板
３１〜３４，５１〜５４  固液分離室
【図１】
2018167202.tif 000003
【図２】
2018167202.tif 000004